(57)【特許請求の範囲】
【請求項１】
１個の第１正五角形と、
第Ｎ−１正五角形の外側辺を共有するように配置された（Ｎ−１）×５個の第Ｎ正五角形（Ｎは自然数であり、２〜特定数まで順に代入される）と、を含むパターンで形成された電極パターンを含むことを特徴とするタッチパネル。
【請求項２】
前記第１正五角形から前記第Ｎ正五角形は、辺の長さが互いに同一であることを特徴とする請求項１に記載のタッチパネル。
【請求項３】
隣接した２個の前記第Ｎ正五角形及び前記２個の第Ｎ正五角形に隣接した２個の第Ｎ＋１正五角形の間には、二つの内角が３６°で残り二つの内角が１４４°であるひし形が形成されることを特徴とする請求項１に記載のタッチパネル。
【請求項４】
前記電極パターンが形成された透明基板をさらに含むことを特徴とする請求項１に記載のタッチパネル。
【請求項５】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする請求項１に記載のタッチパネル。
【請求項６】
前記電極パターンは、銀塩乳剤層を露光／現像して形成される金属銀で形成されることを特徴とする請求項１に記載のタッチパネル。
【請求項７】
二つの内角が７２°で残り二つの内角が１０８°であり、内角が７２°である所定頂点を中心に互いに２つの辺を共有するように配置された５個の第１ひし形と、
二つの内角が３６°で残り二つの内角が１４４°であり、内角が１４４°である２つの辺が隣接した２個の前記第１ひし形の外側の２つの辺を共有するように配置された５個の第２ひし形と、で構成される第１所定パターンから第Ｎ所定パターンを含み（Ｎは自然数であり、２〜特定数まで順に代入される）、
前記第１所定パターンは１個であり、前記第Ｎ所定パターンは（Ｎ−１）×５個であり、
（Ｎ−１）×５個の前記第Ｎ所定パターンは、前記第１所定パターンの前記所定頂点を中心に、前記第Ｎ所定パターンの前記所定頂点が正（Ｎ−１）×５角形を形成するように配置されるパターンで形成された電極パターンを含むことを特徴とするタッチパネル。
【請求項８】
前記第１ひし形と前記第２ひし形は、辺の長さが互いに同一であることを特徴とする請求項７に記載のタッチパネル。
【請求項９】
前記電極パターンは、
前記第１所定パターンから前記第Ｎ所定パターン以外の部分には、二つの内角が７２°で残り二つの内角が１０８°である第３ひし形と、二つの内角が３６°で残り二つの内角が１４４°である第４ひし形とが配置されることを特徴とする請求項７に記載のタッチパネル。
【請求項１０】
前記第３ひし形と前記第１ひし形は、辺の長さが互いに同一であり、
前記第４ひし形と前記第２ひし形は、辺の長さが互いに同一であることを特徴とする請求項９に記載のタッチパネル。
【請求項１１】
前記電極パターンが形成された透明基板をさらに含むことを特徴とする請求項７に記載のタッチパネル。
【請求項１２】
前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されたことを特徴とする請求項７に記載のタッチパネル。
【請求項１３】
前記電極パターンは、銀塩乳剤層を露光／現像して形成される金属銀で形成されたことを特徴とする請求項７に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、ポータブル伝送装置、その他の個人用の情報処理装置などは、キーボード、マウスのような様々な入力装置（Ｉｎｐｕｔ  Ｄｅｖｉｃｅ）を用いてテキスト及びグラフィック処理を行う。
【０００３】
しかし、情報化社会の急速な進行により、コンピュータの用途が益々拡大する傾向にあるため、現在入力装置の機能を担当しているキーボード及びマウスだけでは、効率的な製品の駆動が困難であるという問題点がある。従って、簡単で誤操作が少なく、誰でも簡単に情報入力が可能な機器の必要性が高まっている。
【０００４】
また、入力装置に関する技術は、一般的な機能を満たす水準を超えて、高信頼性、耐久性、革新性、設計及び加工に関する技術などが注目されており、このような目的を達成するために、テキスト、グラフィックなどの情報入力が可能な入力装置としてタッチパネル（Ｔｏｕｃｈ  Ｐａｎｅｌ）が開発された。
【０００５】
このようなタッチパネルは、電子手帳、液晶表示装置（Ｌｉｑｕｉｄ  Ｃｒｙｓｔａｌ  Ｄｉｓｐｌａｙ  Ｄｅｖｉｃｅ；ＬＣＤ）、ＰＤＰ（Ｐｌａｓｍａ  Ｄｉｓｐｌａｙ  Ｐａｎｅｌ）、ＥＬ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）のような画像表示装置の表示面に設けられ、ユーザが映像表示装置を見ながら所望の情報を選択するようにするために利用される機器である。
【０００６】
一方、タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁気方式（Ｅｌｅｃｔｒｏ−Ｍａｇｎｅｔｉｃ  Ｔｙｐｅ）、弾性表面波方式（Ｓｕｒｆａｃｅ  Ａｃｏｕｓｔｉｃ  Ｗａｖｅ  Ｔｙｐｅ；ＳＡＷ  ｔｙｐｅ）及びインフラレッド方式（Ｉｎｆｒａｒｅｄ  Ｔｙｐｅ）に区分される。このように様々な方式のタッチパネルは、信号増幅の問題、解像度の差、設計及び加工技術の難易度、光学的特性、電気的特性、機械的特性、耐環境特性、入力特性、耐久性及び経済性を考慮して電子製品に用いられるが、現在最も広い分野で用いられるものは、抵抗膜方式タッチパネルと静電容量方式タッチパネルである。
【０００７】
一方、タッチパネルは、特許文献１に開示されたように、金属を用いて電極パターンを形成しようとする研究が活発に進められている。このように、金属で電極パターンを形成すると、電気伝導度に優れ、需給が円滑であるという長所がある。しかし、金属で電極パターンを形成する場合、ユーザに認識されることを防止するためにマイクロメータ（μｍ）単位のメッシュ（Ｍｅｓｈ）構造で形成しなければならない。しかし、規則的で一定の間隔のメッシュ構造でタッチパネルの電極パターンを形成すると、タッチパネルの電極パターンと画像表示装置（ＬＣＤなど）に備えられたカラーフィルター（Ｃｏｌｏｒ  Ｆｉｌｔｅｒ）のブラックマトリックス（Ｂｌａｃｋ  Ｍａｔｒｉｘ）パターン間の周期特性が重複するため、モアレ（ｍｏｉｒｅ）現象が発生して視認性が低下されるという問題点が存在する。
【先行技術文献】
【特許文献】
【０００８】
【特許文献１】韓国公開特許第１０−２０１０−００９１４９７号公報
【発明の概要】
【発明が解決しようとする課題】
【０００９】
本発明は、前記のような問題点を解決するために導き出されたものであって、並進対称性（Ｔｒａｎｓｌａｔｉｏｎ  Ｓｙｍｍｅｔｒｙ）を有さず、回転対称性（Ｒｏｔａｔｉｏｎａｌ  Ｓｙｍｍｅｔｒｙ）を有するように電極パターンを形成することにより、モアレ現象が発生することを防止することができるタッチパネルを提供することを目的とする。
【課題を解決するための手段】
【００１０】
本発明の好ましい第１実施例によるタッチパネルは、１個の第１正五角形と、第Ｎ−１正五角形の外側辺を共有するように配置された（Ｎ−１）×５個の第Ｎ正五角形（Ｎは自然数であり、２〜特定数まで順に代入される）と、を含むパターンで形成された電極パターンを含む構成を有する。
【００１１】
ここで、前記第１正五角形から前記第Ｎ正五角形は、辺の長さが互いに同一であることを特徴とする。
【００１２】
また、隣接した２個の前記第Ｎ正五角形及び前記２個の第Ｎ正五角形に隣接した２個の第Ｎ＋１正五角形の間には、二つの内角が３６°で残り二つの内角が１４４°であるひし形が形成されることを特徴とする。
【００１３】
また、前記電極パターンが形成された透明基板をさらに含むことを特徴とする。
【００１４】
また、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されることを特徴とする。
【００１５】
また、前記電極パターンは、銀塩乳剤層を露光／現像して形成される金属銀で形成されることを特徴とする。
【００１６】
本発明の好ましい第２実施例によるタッチパネルは、二つの内角が７２°で残り二つの内角が１０８°であり、内角が７２°である所定頂点を中心に互いに２つの辺を共有するように配置された５個の第１ひし形と、二つの内角が３６°で残り二つの内角が１４４°であり、内角が１４４°である２つの辺が隣接した２個の前記第１ひし形の外側の２つの辺を共有するように配置された５個の第２ひし形と、で構成される第１所定パターンから第Ｎ所定パターンを含み（Ｎは自然数であり、２〜特定数まで順に代入される）、前記第１所定パターンは１個であり、前記第Ｎ所定パターンは（Ｎ−１）×５個であり、（Ｎ−１）×５個の前記第Ｎ所定パターンは、前記第１所定パターンの前記所定頂点を中心に、前記第Ｎ所定パターンの前記所定頂点が正（Ｎ−１）×５角形を形成するように配置されるパターンで形成された電極パターンを含んで構成される。
【００１７】
ここで、前記第１ひし形と前記第２ひし形は、辺の長さが互いに同一であることを特徴とする。
【００１８】
また、前記電極パターンは、前記第１所定パターンから前記第Ｎ所定パターン以外の部分には、二つの内角が７２°で残り二つの内角が１０８°である第３ひし形と、二つの内角が３６°で残り二つの内角が１４４°である第４ひし形とが配置されることを特徴とする。
【００１９】
また、前記第３ひし形と前記第１ひし形は、辺の長さが互いに同一であり、前記第４ひし形と前記第２ひし形は、辺の長さが互いに同一であることを特徴とする。
【００２０】
また、前記電極パターンが形成された透明基板をさらに含むことを特徴とする。
【００２１】
また、前記電極パターンは、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成されたことを特徴とする。
【００２２】
また、前記電極パターンは、銀塩乳剤層を露光／現像して形成される金属銀で形成されたことを特徴とする。
【００２３】
本発明の特徴及び利点は、添付図面に基づいた以下の詳細な説明によってさらに明らかになるであろう。
【００２４】
本発明の詳細な説明に先立ち、本明細書及び特許請求の範囲に用いられた用語や単語は、通常的かつ辞書的な意味に解釈されてはならず、発明者が自らの発明を最善の方法で説明するために用語の概念を適切に定義することができるという原則にしたがって本発明の技術的思想にかなう意味と概念に解釈されるべきである。
【発明の効果】
【００２５】
本発明によると、電極パターンが並進対称性（Ｔｒａｎｓｌａｔｉｏｎ  Ｓｙｍｍｅｔｒｙ）を有さず、回転対称性（Ｒｏｔａｔｉｏｎａｌ  Ｓｙｍｍｅｔｒｙ）を有するため、モアレ現象が発生することを防止することができ、それによって、タッチパネルの視認性を改善することができる長所がある。
【００２６】
また、本発明によると、電極パターンが準周期的特性を有するため、電極パターンの単位面積当り開口率を一定に維持することができ、タッチパネルは、均一な電気伝導度と視覚性を確保することができるという効果がある。
【図面の簡単な説明】
【００２７】
【図１Ａ】本発明の好ましい第１実施例によるタッチパネルの平面図である。
【図１Ｂ】図１Ａに図示された電極パターンを説明するための拡大図及び陰影を付加した平面図である。
【図２】図１Ａに図示された電極パターンの回転対称性を示す平面図である。
【図３】図１Ａの電極パターンにカラーフィルターのブラックマトリックスパターンが重複した状態を図示した平面図である。
【図４】図１Ａの電極パターンにカラーフィルターのブラックマトリックスパターンが重複した状態を図示した平面図である。
【図５】図１Ａの電極パターンにカラーフィルターのブラックマトリックスパターンが重複した状態を図示した平面図である。
【図６Ａ】本発明の好ましい第２実施例によるタッチパネルの平面図である。
【図６Ｂ】図６Ａに図示された電極パターンを説明するために拡大図、陰影、補助線及び太線を付加した平面図である。
【図７】図６Ａに図示された電極パターンの回転対称性を示す平面図である。
【図８】図６Ａの電極パターンにカラーフィルターのブラックマトリックスパターンが重複した状態を図示した平面図である。
【図９】図６Ａの電極パターンにカラーフィルターのブラックマトリックスパターンが重複した状態を図示した平面図である。
【図１０】図６Ａの電極パターンにカラーフィルターのブラックマトリックスパターンが重複した状態を図示した平面図である。
【発明を実施するための形態】
【００２８】
本発明の目的、特定の長所及び新規の特徴は、添付図面に係わる以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、本発明を説明するにあたり、係わる公知技術についての具体的な説明が本発明の要旨を不明瞭にする可能性があると判断される場合には、その詳細な説明を省略する。本明細書において、第１、第２などの用語は、一つの構成要素を他の構成要素から区別するために用いられるものであり、前記構成要素は前記用語によって限定されない。
【００２９】
以下、添付された図面を参照して、本発明の好ましい実施例を詳細に説明する。
【００３０】
図１Ａは、本発明の好ましい第１実施例によるタッチパネルの平面図であり、図１Ｂは、図１Ａに図示された電極パターンを説明するための拡大図及び陰影を付加した平面図である。
【００３１】
図１Ａ及び図１Ｂに図示されたように、本実施例によるタッチパネルは、１個の第１正五角形１２０、及び第Ｎ−１正五角形の外側辺を共有するように配置された（Ｎ−１）×５個の第Ｎ正五角形（Ｎは自然数であり、２〜特定数まで順に代入される）を含むパターンで形成された電極パターン１１０を含む構成を有する。
【００３２】
前記電極パターン１１０は、ユーザがタッチする際に信号を発生してコントローラーでタッチ座標を認識できるようにする役目をするものであって、透明基板１００で形成される。ここで、電極パターン１１０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成することができる。この際、電極パターン１１０は、メッキ工程やスパッタ（Ｓｐｕｔｔｅｒ）を用いた蒸着工程で形成することができる。一方、電極パターン１１０を銅（Ｃｕ）で形成する場合、電極パターン１１０の表面は、黒化処理が施されることができる。ここで、黒化処理とは、電極パターン１１０の表面を酸化させてＣｕ２ＯまたはＣｕＯを析出することにより、Ｃｕ２Ｏは、褐色を帯びるため、ブラウンオキシド（Ｂｒｏｗｎ  Ｏｘｉｄｅ）とし、ＣｕＯは、黒色を帯びるため、ブラックオキシド（Ｂｌａｃｋ  Ｏｘｉｄｅ）とする。このように、電極パターン１１０の表面に黒化処理を施すことにより、光が反射することを防止することができ、それによって、タッチパネルの視認性を改善することができる長所がある。また、前記金属の他にも電極パターン１１０は、銀塩乳剤層を露光／現像して形成される金属銀で形成することもできる。
【００３３】
一方、電極パターン１１０は、１個の第１正五角形１２０、及び第Ｎ−１正五角形の外側辺を共有するように配置された（Ｎ−１）×５個の第Ｎ正五角形を含むパターンで形成される。ここで、Ｎは、自然数であり、２〜特定数まで順に代入されるものであり、第Ｎ−１正五角形の外側辺とは、第Ｎ−１正五角形の辺のうち第Ｎ−２正五角形と共有する辺から最も離れている１個または２つの辺を意味する。例えば、１個の第１正五角形１２０を中心に、５個の第２正五角形１２３が第１正五角形１２０の外側辺を共有するように配置され、１０個の第３正五角形１２５が第２正五角形１２３の外側辺を共有するように配置される。結果、第Ｎ正五角形が第Ｎ−１正五角形の外側辺を共有するとともに、第１正五角形１２０から外側に拡張される。この際、第Ｎ正五角形の辺が第Ｎ−１正五角形の外側辺を共有するために、第１正五角形１２０から第Ｎ正五角形まで辺の長さは、互いに同一でなければならない。
【００３４】
また、前記のように、第１正五角形１２０から第Ｎ正五角形まで配置すると、隣接した２個の第Ｎ正五角形及びこれに隣接した２個の第Ｎ＋１正五角形との間には、二つの内角が３６°で残り二つの内角が１４４°であるひし形１３０が形成される。例えば、図１Ｂの拡大図に図示されたように、隣接した２個の第２正五角形１２３及びここに隣接した２個の第３正五角形１２５の間には、２つの内角が３６°で残り二つの内角が１４４°であるひし形１３０が形成される。但し、隣接した第Ｎ正五角形の向き合う辺は、３６°または１０８°を形成するが、ひし形１３０は、隣接した第Ｎ正五角形の向き合う辺が３６°を形成する際に形成される。
【００３５】
従って、電極パターン１１０は、正五角形１２０、１２３、１２５と、ひし形１３０（二つの内角が３６°で残り二つの内角が１４４°）とを含むパターンで形成される。
【００３６】
このように、電極パターン１１０を、正五角形１２０、１２３、１２５と、ひし形１３０とを含むパターンで形成すると、電極パターン１１０は、並進対称性（Ｔｒａｎｓｌａｔｉｏｎ  Ｓｙｍｍｅｔｒｙ）を有さず、回転対称性（Ｒｏｔａｔｉｏｎａｌ  Ｓｙｍｍｅｔｒｙ）を有する。ここで、並進対称性とは、一定方向に一定距離だけ移動させた時に本来のパターンと上下左右が変わらないことを意味し、回転対称性とは、一定角度で転させた時に本来のパターンと形態が一致することを意味する。具体的に、図２は、図１Ａに図示された電極パターンの回転対称性を示す平面図であり、図２に図示されたように、電極パターン１１０は、第１正五角形の中心１２０ａを基準に７２°回転させた時に本来のパターンとの形態が一致する。これにより、電極パターン１１０が回転対称性を有することが分かる。
【００３７】
従って、タッチパネルの電極パターン１１０は、回転対称性を有する反面、画像表示装置（ＬＣＤなど）に備えられたカラーフィルター（Ｃｏｌｏｒ  Ｆｉｌｔｅｒ）のブラックマトリックス（Ｂｌａｃｋ  Ｍａｔｒｉｘ）パターンは、周期的な格子構造を有するため、並進対称性を有する。従って、電極パターン１１０とブラックマトリックスパターンは、互いに周期特性が重複しないため、モアレ現象が発生することを防止することができる。
【００３８】
より具体的に、図３〜図５を参照して、モアレ現象が発生しないことを説明すると、次のとおりである。
【００３９】
図３〜図５は、図１Ａの電極パターンにカラーフィルターのブラックマトリックスパターンが重複した状態を図示した平面図である。
【００４０】
図３に図示されたように、電極パターン１１０は、回転対称性を有する反面、画像表示装置（ＬＣＤなど）に備えられたカラーフィルターのブラックマトリックスパターン１４０は、並進対称性（周期的な格子構造）を有する。そのため、電極パターン１１０とブラックマトリックスパターン１４０が重複するように配置しても、干渉現象が発生することを最小化することができ、それによって、モアレ現象を防止することができる。
【００４１】
また、図４及び図５に図示されたように、電極パターン１１０とブラックマトリックスパターン１４０を重複した状態で、５°（図４参照）〜７°（図５参照）まで回転させても、また干渉現象が発生することを最小化することができ、それによって、モアレ現象を防止することができる。
【００４２】
それだけでなく、電極パターン１１０が準周期的特性（回転対称性有）を有するため、電極パターン１１０の単位面積当り開口率を一定に維持することができ、タッチパネルは、均一な電気伝導度と視覚性を確保することができる。
【００４３】
一方、電極パターン１１０は、透明基板１００（図１Ａ参照）で形成されるが、ここで透明基板１００は、電極パターン１１０を支持する支持力と、画像表示装置から提供される画像をユーザが認識できるように、透明性とを有しなければならない。上述の支持力と透明性を考慮して、透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００４４】
さらに、透明基板１００を活性化させるために、高周波処理またはプライマー（Ｐｒｉｍｅｒ）処理を施すことが好ましい。このように、透明基板１００を活性化させることにより、透明基板１００と電極パターン１１０との間の接着力を向上させることができる。
【００４５】
また、透明基板１００は、タッチパネルの最外側に備えられたウィンドウ（Ｗｉｎｄｏｗ）であってもよい。透明基板１００がウィンドウである場合、ウィンドウに直接電極パターン１１０が形成されるため、別途の透明基板１００に電極パターン１１０を形成した後、前記透明基板１００をウィンドウに付着する工程を省略して製造工程を単純化することができ、タッチパネルの全体的な厚さを減少させることができる。
【００４６】
図６Ａは、本発明の好ましい第２実施例によるタッチパネルの平面図であり、図６Ｂは図６Ａに図示された電極パターンを説明するために拡大図、陰影、補助線及び太線を付加した平面図である。
【００４７】
図６Ａ及び図６Ｂに図示されたように、本実施例によるタッチパネルは、二つの内角が７２°で残り二つの内角が１０８°であり、内角が７２°である所定頂点２３０ａ、２４０ａ、２５０ａを中心に互いに２つの辺を共有するように配置された５個の第１ひし形２２０、及び二つの内角が３６°で残り二つの内角が１４４°であり、内角が１４４°である２つの辺が隣接した２個の第１ひし形２２０の外側の２つの辺を共有するように配置された５個の第２ひし形２２５で構成される第１所定パターン２３０から第Ｎ所定パターンを含み（図６Ｂの右側の拡大図参照）、（Ｎは自然数であり、２〜特定数まで順に代入される）、第１所定パターン２３０は、１個であり、第Ｎ所定パターンは、（Ｎ−１）×５個であり、（Ｎ−１）×５個の第Ｎ所定パターンは、第１所定パターンの所定頂点２３０ａを中心に第Ｎ所定パターンの所定頂点２４０ａ、２５０ａが、正（Ｎ−１）×５角形を形成するように配置されるパターンで形成された電極パターン２１０を含む構成を有する。
【００４８】
本実施例によるタッチパネルは、前記第１実施例によるタッチパネルと比較すると、電極パターン２１０が相違している。従って、本実施例は、電極パターン２１０を中心に記述し、前記第１実施例と重複する内容は簡単に説明する。
【００４９】
前記電極パターン２１０は、ユーザがタッチする際に信号を発生させてコントローラーでタッチ座標を認識できるようにする機能をするものであって、透明基板１００で形成される。ここで、電極パターン２１０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組み合わせで形成することができる。また、上記金属の他にも電極パターン２１０は、銀塩乳剤層を露光／現像して形成された金属銀で形成することもできる。
【００５０】
一方、電極パターン２１０は、第１所定パターン２３０から第Ｎ所定パターン（第２所定パターン２４０、第３所定パターン２５０）を含むパターンで形成され、前記Ｎは、自然数であり、２〜特定数まで順に代入される。また、図６Ｂの右側の拡大図に図示されたように、第１所定パターン２３０から第Ｎ所定パターン（第２所定パターン２４０、第３所定パターン２５０）は、第１ひし形２２０と第２ひし形２２５で構成される。ここで、第１ひし形２２０は、二つの内角が７２°で残り二つの内角が１０８°であり、第２ひし形２２５は、二つの内角が３６°で残り二つの内角が１４４°である。この際、第１ひし形２２０は、５個が備えられ、内角が７２°である所定頂点２３０ａ、２４０ａ、２５０ａを中心に互いに２つの辺を共有するように配置される。また、第２ひし形２２５は、５個が備えられ、内角が１４４°である２つの辺が隣接した２個の第１ひし形２２０の外側の２つの辺を共有するように配置される。即ち、第１所定パターン２３０ないし第Ｎ所定パターン（第２所定パターン２４０及び第３所定パターン２５０）は、５個の第１ひし形２２０それぞれが７２°を形成、即ち、５個の第１ひし形２２０が合計３６０°を形成するように配置され、５個の第２ひし形２２５が５個の第１ひし形２２０の外側で前記第１ひし形２２０と辺を共有するように配置される。この際、第２ひし形２２５と第１ひし形２２０が辺を共有するために、第１ひし形２２０と第２ひし形２２５は、辺の長さが互いに同一でなければならない。
【００５１】
また、第１所定パターン２３０は、１個が備えられ、第Ｎ所定パターンは、（Ｎ−１）×５個が備えられる（例えば、第２所定パターン２４０は５個、第３所定パターン２５０は１０個が備えられる）。ここで、（Ｎ−１）×５個の第Ｎ所定パターンは、第１所定パターンの所定頂点２３０ａを中心に第Ｎ所定パターンの所定頂点２４０ａ、２５０ａが正（Ｎ−１）×５角形を形成するように配置される。例えば、５個の第２所定パターン２４０は、第１所定パターンの所定頂点２３０ａを中心に第２所定パターンの所定頂点２４０ａが正五角形２６０を形成するように配置され、１０個の第３所定パターン２５０は、第１所定パターンの所定頂点２３０ａを中心に第３所定パターンの所定頂点２５０ａが正十角形２７０を形成するように配置される。
【００５２】
一方、電極パターン２１０を形成するパターンのうち、第１所定パターン２３０から第Ｎ所定パターン以外の部分には、二つの内角が７２°で残り二つの内角が１０８°である第３ひし形２２７と、二つの内角が３６°で残り二つの内角が１４４°である第４ひし形２２９が配置される（図６Ｂの左側の拡大図参照）。ここで、第３ひし形２２７は、第１ひし形２２０と辺の長さが互いに同一であり、第４ひし形２２９は、第２ひし形２２５と辺の長さが互いに同一である。結果、電極パターン２１０は、二つの内角が７２°で残り二つの内角が１０８°であるひし形（第１ひし形２２０、第３ひし形２２７）と二つの内角が３６°で残り二つの内角が１４４°であるひし形（第２ひし形２２５、第４ひし形２２９）で構成されたパターンで形成される。
【００５３】
このように、電極パターン２１０を第１ひし形〜第４ひし形２２０、２２５、２２７、２２９で構成されたパターンで形成すると、電極パターン２１０は、並進対称性を有さず、回転対称性を有する。具体的に、図７は、図６Ａに図示された電極パターンの回転対称性を示す平面図であり、図７に図示されたように、電極パターン２１０は、第１所定パターンの所定頂点２３０ａを基準に７２°回転させた場合、本来のパターンと形状が一致する。これにより、電極パターン２１０が回転対称性を有することが分かる。
【００５４】
結果、タッチパネルの電極パターン２１０は、回転対称性を有する反面、画像表示装置（ＬＣＤなど）に備えられたカラーフィルターのブラックマトリックスパターンは、周期的な格子構造であるため、並進対称性を有する。従って、電極パターン２１０とブラックマトリックスパターンは、互いに周期特性が重複しないため、モアレ現象が発生することを防止することができる。
【００５５】
より具体的に、図８〜図１０を参照して、モアレ現象が発生しないことを説明すると、次のとおりである。
【００５６】
図８〜図１０は、図６Ａの電極パターンにカラーフィルターのブラックマトリックスパターンが重複した状態を図示した平面図である。
【００５７】
図８に図示されたように、電極パターン２１０は、回転対称性を有する反面、画像表示装置（ＬＣＤなど）に備えられたカラーフィルターのブラックマトリックスパターン１４０は、並進対称性（周期的な格子構造）を有する。そのため、電極パターン２１０とブラックマトリックスパターン１４０を重複して配置しても、干渉現象が発生することを最小化することができ、それによって、モアレ現象を防止することができる。
【００５８】
また、図９及び図１０に図示されたように、電極パターン２１０とブラックマトリックスパターン１４０を重複した状態で、５°（図９参照）〜７°（図１０参照）まで回転しても、また干渉現象が発生することを最小化することができ、それによって、モアレ現象を防止することができる。
【００５９】
それだけでなく、電極パターン２１０が準周期的特性（回転対称性有）を有するため、電極パターン２１０の単位面積当り開口率を一定に維持することができ、タッチパネルは、均一な電気伝導度と視覚性を確保することができる。
【００６０】
一方、電極パターン２１０は、透明基板（１００、図６Ａ参照）で形成されるが、ここで透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００６１】
以上、本発明を具体的な実施例に基づいて詳細に説明したが、これは、本発明を具体的に説明するためのものであり、本発明によるタッチパネルは、これに限定されず、該当分野における通常の知識を有する者であれば、本発明の技術的思想内にての変形や改良が可能であることは明白であろう。
【００６２】
本発明の単純な変形乃至変更は、いずれも本発明の領域に属するものであり、本発明の具体的な保護範囲は、添付の特許請求の範囲により明確になるであろう。
【産業上の利用可能性】
【００６３】
本発明は、並進対称性（Ｔｒａｎｓｌａｔｉｏｎ  Ｓｙｍｍｅｔｒｙ）を有さず、回転対称性（Ｒｏｔａｔｉｏｎａｌ  Ｓｙｍｍｅｔｒｙ）を有するように電極パターンを形成することにより、モアレ現象が発生することを防止することができるタッチパネルに適用可能である。
【符号の説明】
【００６４】
１００  透明基板
１１０、２１０  電極パターン
１２０  第１正五角形
１２０ａ  第１正五角形の中心
１２３  第２正五角形
１２５  第３正五角形
１３０  ひし形
１４０  ブラックマトリックスパターン
２２０  第１ひし形
２２５  第２ひし形
２２７  第３ひし形
２２９  第４ひし形
２３０  第１所定パターン
２３０ａ  第１所定パターンの所定頂点
２４０  第２所定パターン
２４０ａ  第２所定パターンの所定頂点
２５０  第３所定パターン
２５０ａ  第３所定パターンの所定頂点
２６０  正五角形
２７０  正十角形
【図１Ａ】
0005406320.tif 000002
【図１Ｂ】
0005406320.tif 000003
【図２】
0005406320.tif 000004
【図３】
0005406320.tif 000005
【図４】
0005406320.tif 000006
【図５】
0005406320.tif 000007
【図６Ａ】
0005406320.tif 000008
【図６Ｂ】
0005406320.tif 000009
【図７】
0005406320.tif 000010
【図８】
0005406320.tif 000011
【図９】
0005406320.tif 000012
【図１０】
0005406320.tif 000013